(57)【要約】【課題】使用後の内視鏡の内腔を除菌および乾燥させることができる内視鏡除菌乾燥装置およびそれを備えた内視鏡保管庫を提供する。【解決手段】本発明の内視鏡除菌乾燥装置１は、内視鏡３０の吸引チャンネル口３１に取り付けられる第１チューブ１０と、内視鏡３０の鉗子挿入口３２に取り付けられる第２チューブ１１と、内視鏡３０の送気・送水チャンネル口３３に取り付けられる第３チューブ１２を介して空気を内視鏡の内腔に流通させることで、使用後の内視鏡の内腔を除菌および乾燥させることができるように構成されており、本発明の内視鏡保管庫２０はその内視鏡除菌乾燥装置１を内部に有している。【選択図】図１
2013070764.tif 000002
【特許請求の範囲】
【請求項１】
空気を分岐させる分岐部と、該分岐部の第１分岐口に基端部が取り付けられると共に先端部が内視鏡の吸引チャンネル口に取り付けられる第１チューブと、該分岐部の第２分岐口に基端部が取り付けられると共に先端部が内視鏡の鉗子挿入口に取り付けられる第２チューブと、該分岐部の第３分岐口に基端部が取り付けられると共に先端部が内視鏡の送気・送水チャンネル口に取り付けられる第３チューブと、前記分岐部および前記第１ないし第３チューブを介して内視鏡の吸引チャンネル口、鉗子挿入口および送気・送水チャンネル口内に空気を送風するための送風手段を有していることを特徴とする内視鏡除菌乾燥装置。
【請求項２】
前記内視鏡除菌乾燥装置は、除菌促進手段を有している請求項１に記載の内視鏡除菌乾燥装置。
【請求項３】
前記除菌促進手段は、プラスイオンおよびマイナスイオンを発生させるためのイオン発生手段である請求項２に記載の内視鏡除菌乾燥装置。
【請求項４】
空気を分岐させる分岐部と、該分岐部の第１分岐口に基端部が取り付けられると共に先端部が内視鏡の吸引チャンネル口に取り付けられる第１チューブと、該分岐部の第２分岐口に基端部が取り付けられると共に先端部が内視鏡の鉗子挿入口に取り付けられる第２チューブと、該分岐部の第３分岐口に基端部が取り付けられると共に先端部が内視鏡の送気・送水チャンネル口に取り付けられる第３チューブと、前記分岐部および前記第１ないし第３チューブを介して内視鏡の吸引チャンネル口、鉗子挿入口および送気・送水チャンネル口内に空気を送風するための送風手段を備えた内視鏡除菌乾燥装置を内部に有していることを特徴とする内視鏡保管庫。
【請求項５】
前記内視鏡除菌乾燥装置は、除菌促進手段を有している請求項４に記載の内視鏡保管庫。
【請求項６】
前記除菌促進手段は、プラスイオンおよびマイナスイオンを発生させるためのイオン発生手段である請求項５に記載の内視鏡保管庫。
【請求項７】
前記除菌促進手段を経て形成された空気は内視鏡保管庫の内部にも流通可能に構成されている請求項５または６に記載の内視鏡保管庫。
【発明の詳細な説明】
【技術分野】
【０００１】
本発明は、内視鏡を除菌および乾燥する内視鏡除菌乾燥装置およびそれを備えた内視鏡保管庫に関する。
【背景技術】
【０００２】
内視鏡を使用すると、血液、粘液、分泌液、組織片、消化物、薬剤などが付着するため、使用された内視鏡は速やかに洗浄、消毒、除菌および乾燥して次の患者が使用するまで保管する必要がある。
【０００３】
しかし、洗浄および消毒をしても、内視鏡の内腔を除菌および乾燥させることは困難であり、この除菌および乾燥が不十分であると内腔に残存したバクテリア等が繁殖して院内感染を発症させるため、内腔まで除菌および乾燥させなければならない。
【先行技術文献】
【特許文献】
【０００４】
【特許文献１】引用なし
【発明の概要】
【発明が解決しようとする課題】
【０００５】
そこで、本発明の課題は、使用後の内視鏡の内腔を除菌および乾燥させることができる内視鏡除菌乾燥装置およびそれを備えた内視鏡保管庫を提供することにある。
【課題を解決するための手段】
【０００６】
上記課題を解決するものは、空気を分岐させる分岐部と、該分岐部の第１分岐口に基端部が取り付けられると共に先端部が内視鏡の吸引チャンネル口に取り付けられる第１チューブと、該分岐部の第２分岐口に基端部が取り付けられると共に先端部が内視鏡の鉗子挿入口に取り付けられる第２チューブと、該分岐部の第３分岐口に基端部が取り付けられると共に先端部が内視鏡の送気・送水チャンネル口に取り付けられる第３チューブと、前記分岐部および前記第１ないし第３チューブを介して内視鏡の吸引チャンネル口、鉗子挿入口および送気・送水チャンネル口内に空気を送風するための送風手段を有していることを特徴とする内視鏡除菌乾燥装置である。
【０００７】
前記内視鏡除菌乾燥装置は、除菌促進手段を有していてもよい。前記除菌促進手段は、プラスイオンおよびマイナスイオンを発生させるためのイオン発生手段であってもよい。
【０００８】
上記課題を解決するものは、空気を分岐させる分岐部と、該分岐部の第１分岐口に基端部が取り付けられると共に先端部が内視鏡の吸引チャンネル口に取り付けられる第１チューブと、該分岐部の第２分岐口に基端部が取り付けられると共に先端部が内視鏡の鉗子挿入口に取り付けられる第２チューブと、該分岐部の第３分岐口に基端部が取り付けられると共に先端部が内視鏡の送気・送水チャンネル口に取り付けられる第３チューブと、前記分岐部および前記第１ないし第３チューブを介して内視鏡の吸引チャンネル口、鉗子挿入口および送気・送水チャンネル口内に空気を送風するための送風手段を備えた内視鏡除菌乾燥装置を内部に有していることを特徴とする内視鏡保管庫である。
【０００９】
前記内視鏡除菌乾燥装置は、除菌促進手段を有していてもよい。前記除菌促進手段は、プラスイオンおよびマイナスイオンを発生させるためのイオン発生手段であってもよい。前記除菌促進手段を経て形成された空気は内視鏡保管庫の内部にも流通可能に構成されていることが好ましい。
【発明の効果】
【００１０】
請求項１に記載した内視鏡除菌乾燥装置によれば、内視鏡の内腔に送風することで、使用後の内視鏡の内腔を除菌および乾燥させることができる。
請求項２または３に記載した内視鏡除菌乾燥装置によれば、除菌促進手段の作用により、使用後の内視鏡の内腔をより除菌することができる。
請求項４に記載した内視鏡保管庫によれば、内視鏡の内腔に送風することで、使用後の内視鏡の内腔を除菌および乾燥させることができる。
請求項５または６に記載した内視鏡保管庫によれば、除菌促進手段の作用により、使用後の内視鏡の内腔をより除菌することができる。
請求項７に記載した内視鏡保管庫によれば、内視鏡の外部も除菌および乾燥させると共に保管庫内部も除菌および乾燥させることができる。
【図面の簡単な説明】
【００１１】
【図１】本発明の内視鏡除菌乾燥装置の一実施例の正面概略図である。
【図２】図１に示した内視鏡除菌乾燥装置の右側面概略図である。
【図３】図１に示した内視鏡除菌乾燥装置の作用を説明するための斜視図である。
【図４】本発明の内視鏡除菌乾燥装置を備えた内視鏡保管庫の一実施例の正面概略図であり、開き戸を開いた状態の図である。
【図５】図４に示した内視鏡除菌乾燥装置を備えた内視鏡保管庫の右側面概略図である。
【発明を実施するための形態】
【００１２】
本発明では、内視鏡３０の吸引チャンネル口３１に取り付けられる第１チューブ１０と、内視鏡３０の鉗子挿入口３２に取り付けられる第２チューブ１１と、内視鏡３０の送気・送水チャンネル口３３に取り付けられる第３チューブ１２を介して空気を内視鏡の内腔に流通させることで、使用後の内視鏡の内腔を除菌および乾燥させることができる内視鏡除菌乾燥装置１および内視鏡保管庫２０を実現した。
【実施例１】
【００１３】
本発明の内視鏡除菌乾燥装置を図１ないし図３に示した一実施例を用いて説明する。
この実施例の内視鏡除菌乾燥装置１は、吸気口２と吹出口３とを連通する通気路４と、通気路４内に設けられプラスイオンおよびマイナスイオンを発生させるためのイオン発生手段５と、吹出口３に連結されプラスイオンおよびマイナスイオンを含有した空気を分岐させる分岐部６と、分岐部６の第１分岐口７に基端部が取り付けられると共に先端部が内視鏡３０の吸引チャンネル口３１に取り付けられる第１チューブ１０と、分岐部６の第２分岐口８に基端部が取り付けられると共に先端部が内視鏡３０の鉗子挿入口３２に取り付けられる第２チューブ１１と、分岐部６の第３分岐口９に基端部が取り付けられると共に先端部が内視鏡３０の送気・送水チャンネル口３３に取り付けられる第３チューブ１２と、プラスイオンおよびマイナスイオンを含有した空気を、通気路４、分岐部６および第１ないし第３チューブ１０，１１，１２を介して内視鏡３０の吸引チャンネル口３１、鉗子挿入口３２および送気・送水チャンネル口３３内に送風するための送風手段１３を有している。以下、各構成について順次詳述する。
【００１４】
吸気口２は、外気を内視鏡除菌乾燥装置１のハウジング本体１ａ内に取り込むための部位であり、図２に示すように、ハウジング本体１ａの背面側に設けられている。
【００１５】
吹出口３は、プラスイオンおよびマイナスイオンを含有させた空気をハウジング本体１ａから吹き出させる部位であり、図１または図２に示すように、ハウジング本体１ａの正面側の略全面に渡って設けられている。
【００１６】
通気路４は、吸気口２と吹出口３を連通する通路であり、この通気路内でプラスイオンおよびマイナスイオンが空気内に混入される。
【００１７】
イオン発生手段５は、通気路４を流通する空気内にプラスイオンおよびマイナスイオンを混入させるためのものであり、図２に示すように、通気路４内に設けられている。
【００１８】
このイオン発生手段５は、針状や平面状の複数の放電電極（図示しない）を有しており、これら複数の放電電極に高電圧がそれぞれ印加されることによりプラズマ放電が生起されるように構成されている。具体的には、一の放電電極では正電圧が印加されることで、電離により発生するイオンが空気中の水分と結合してＨ＋（Ｈ２Ｏ）ｍからなる電荷によってプラスイオンが発生する。他の放電電極では負電圧が印加されることで、電離により発生するイオンが空気中の水分と結合してＯ２−（Ｈ２Ｏ）ｎからなる電荷によってマイナスイオンが発生する。なお、ｍ、ｎは任意の自然数である。
【００１９】
そして、Ｈ＋（Ｈ２Ｏ）ｍおよびＯ２−（Ｈ２Ｏ）ｎはバクテリア等の表面に凝集しこれらを取り囲み、さらに衝突によって活性種である［・ＯＨ］（水酸基ラジカル）やＨ２Ｏ２（過酸化水素）を生成してバクテクア等を破壊分解する。このような作用により、プラスイオンおよびマイナスイオンを含有した空気は除菌作用を発揮する。
【００２０】
分岐部６は、プラスイオンおよびマイナスイオンを含有した空気を分岐させる部位であり、図１または図２に示すように、吹出口３の上半分を覆うように連結されている。分岐部６の内部には、吹出口３と第１分岐口７、第２分岐口８および第３分岐口９とをそれぞれ連通させる分岐通路６Ａが設けられており、この実施例の分岐部６はこの分岐通路６Ａを内部に３本有した分岐ブロック６Ｂが水平方向に５つ並設され構成されている。
【００２１】
第１チューブ１０、第２チューブ１１および第３チューブ１２は、ハウジング本体１Ａ内でイオン発生手段５によってプラスイオンおよびマイナスイオンが混入された空気を分岐部６を介して内視鏡３０の内腔に注入するためのものである。
【００２２】
具体的には、第１チューブ１０は、図１に示すように、基端部が、分岐部６の第１分岐口７に取り付けられると共に、図３に示すように、その先端部が除菌乾燥する内視鏡３０の吸引チャンネル口３１に取り付けられる。また、第２チューブ１１は、図１に示すように、基端部が、分岐部６の第２分岐口８に取り付けられると共に、図３に示すように、その先端部が除菌乾燥する内視鏡３０の鉗子挿入口３２に取り付けられる。さらに、第３チューブ１２は、図１に示すように、基端部が、分岐部６の第３分岐口９に取り付けられると共に、図３に示すように、その先端部が除菌乾燥する内視鏡３０の送気・送水チャンネル口３３に取り付けられる。
【００２３】
なお、この実施例の内視鏡除菌乾燥装置１は、図１に示すように、分岐部６が５つの分岐ブロック６Ｂにより構成され、各分岐ブロック６Ｂには、第１チューブ１０、第２チューブ１１および第３チューブ１２がそれぞれ取り付けられており、５台の内視鏡を同時に除菌および乾燥させることができるように構成されている。
【００２４】
送風手段１３は、プラスイオンおよびマイナスイオンを含有した空気を、前述した通気路４、分岐部６および第１ないし第３チューブ１０，１１，１２を介して内視鏡３０の吸引チャンネル口３１、鉗子挿入口３２および送気・送水チャンネル口３３内にそれぞれ送風するためのものであり、この実施例では、図２に示すように、通気路４内に設けられたファンモータにより構成されている。
【００２５】
この実施例の内視鏡除菌乾燥装置１は、以上のような構成により、プラスイオンおよびマイナスイオンを含有した空気を、送風手段１３により、内視鏡３０の吸引チャンネル口３１、鉗子挿入口３２および送気・送水チャンネル口３３から内視鏡の内腔内に流通させ、内視鏡３０の先端部３４から排出させることにより、内視鏡の内腔を確実に除菌および乾燥させることができるように構成されている。
【００２６】
つぎに、本発明の内視鏡保管庫２０を図４および図５に示した一実施例を用いて説明する。
この実施例の内視鏡保管庫２０は、吸気口２と吹出口３とを連通する通気路４と、通気路４内に設けられプラスイオンおよびマイナスイオンを発生させるためのイオン発生手段５と、吹出口３に連結されプラスイオンおよびマイナスイオンを含有した空気を分岐させる分岐部６と、分岐部６の第１分岐口７に基端部が取り付けられると共に先端部が内視鏡３０の吸引チャンネル口３１に取り付けられる第１チューブ１０と、分岐部６の第２分岐口８に基端部が取り付けられると共に先端部が内視鏡３０の鉗子挿入口３２に取り付けられる第２チューブ１１と、分岐部６の第３分岐口９に基端部が取り付けられると共に先端部が内視鏡３０の送気・送水チャンネル口３３に取り付けられる第３チューブ１２と、プラスイオンおよびマイナスイオンを含有した空気を、通気路４、分岐部６および第１ないし第３チューブ１０，１１，１２を介して内視鏡３０の吸引チャンネル口３１、鉗子挿入口３２および送気・送水チャンネル口３３内に送風するための送風手段１３を備えた内視鏡除菌乾燥装置１を内部に有している。以下、各構成について順次説明するが、前述した内視鏡除菌乾燥装置１については同様であるため説明を省略する。
【００２７】
この実施例の内視鏡保管庫２０は、ハウジング２１の内部に内視鏡を収納するための内視鏡収納空間２２を備えている。内視鏡収納空間２２には、５台の内視鏡を垂下させ収納できるように懸架部２３が設けられており、ハウジング２１の前面には、内視鏡を出し入れするための開き戸２４が設けられている。
【００２８】
内視鏡収納空間２２の上部には、図４または図５に示すように、前述した内視鏡除菌乾燥装置１が固定されている。これにより、懸架部２３に掛架された内視鏡の内腔内にプラスイオンおよびマイナスイオンを含有した空気を流通させて除菌および乾燥させることができ、次の使用者が使用するまで内腔内を除菌乾燥させた状態で保管することができる。また、内視鏡除菌乾燥装置１の分岐部６は吹出口３の一部（上半分）に連結され、プラスイオンおよびマイナスイオンを含有した空気は、吹出口３の下半分から収納部２２にも流通可能に構成されているため、内視鏡の外部も確実に除菌および乾燥させると共に保管庫内部も除菌および乾燥させることができるように構成されている。
【００２９】
なお、前述した内視鏡除菌乾燥装置１およびそれを備えた内視鏡保管庫２０は、除菌促進手段としてイオン発生手段を有するものであるが、内視鏡の内腔に送風して乾燥させることにより除菌することができるため、除菌促進手段を有しないものも本発明の範疇に包含される。また、除菌促進手段はイオン発生手段に限定されるものではなく、内視鏡の内腔に流通させる空気に除菌を促進する作用を付与できる手段を備えたものは広く本発明の範疇に包含される。
【符号の説明】
【００３０】
１      内視鏡除菌乾燥装置
２      吸気口
３      吹出口
４      通気路
５      イオン発生手段
６      分岐部
７      第１分岐口
８      第２分岐口
９      第３分岐口
１０    第１チューブ
１１    第２チューブ
１２    第３チューブ
１３    送風手段
２０    内視鏡保管庫
２１    ハウジング
２２    内視鏡収納空間
２３    懸架部
２４    開き戸
３０    内視鏡
３１    吸引チャンネル口
３２    鉗子挿入口
３３    送気・送水チャンネル口
【図１】
2013070764.tif 000003
【図２】
2013070764.tif 000004
【図３】
2013070764.tif 000005
【図４】
2013070764.tif 000006
【図５】
2013070764.tif 000007